(57)【要約】【課題】複数のプロジェクタを用いて映像を映し出すにあたり、双方の映像に対して、プロジェクタで投影された映像に対するポインタの位置をも映し出すことで、双方のコミュニケーションを円滑にする【解決手段】遠隔地に設置されたプロジェクタ装置１０５は、自身の拠点で利用されるレーザーポインタ１０２によるポインタの位置を取得して、そのポインタの位置情報４０２を現在地のプロジェクタ装置１０５またはクライアント端末１００へ送信し、そして、現在地に設置されたプロジェクタ装置１０５またはクライアント端末１００は、送信されたポインタの位置情報を受信して、現在地に設置されたスクリーン１０１にポインタを投影する。【選択図】図４
2014119720.tif 000002
【特許請求の範囲】
【請求項１】
スクリーンへ映像を投影するプロジェクタ装置間を、ネットワークを介して接続したプロジェクタ装置システムであって、
前記プロジェクタ装置は、
前記映像を受信する映像受信手段と、
前記映像受信手段によって受信した映像を投影する映像投影手段と、
スクリーンへ照射されるポインタの位置を取得するポインタ位置取得手段と、
前記ポインタ位置取得手段によって取得したポインタの位置を異なるプロジェクタ装置へ送信する送信手段と、
を備え、
異なる前記プロジェクタ装置は、
前記送信手段によって送信されたポインタの位置を用いて、前記映像に対してポインタを投影するポインタ投影手段と、
を備えたことを特徴とするプロジェクタ装置システム。
【請求項２】
前記ポインタ投影手段は、前記ポインタを照射された拠点毎に表示形態を変えることを特徴とする請求項１に記載のプロジェクタ装置システム。
【請求項３】
所定の拠点で照射されたポインタを他の拠点で投影するプレゼンテーションモードと、各拠点で照射されたポインタを他の拠点で投影する討論用モードを選択するモード選択手段を備え、
前記モード選択手段によって、プレゼンテーションモードが選択された場合、前記送信手段は、前記所定の拠点からのみポインタの位置を異なるプロジェクタ装置へ送信し、討論用モードが選択された場合、拠点で照射されたポインタの位置を異なるプロジェクタ装置へ送信することを特徴とする請求項１または２に記載のプロジェクタ装置システム。
【請求項４】
ポインタの照射位置によって投影される映像への操作を行う操作手段を備えたことを特徴とする請求項１乃至３の何れか１項に記載のプロジェクタ装置システム。
【請求項５】
スクリーンへ映像を投影するプロジェクタ装置であって、
前記映像を受信する映像受信手段と、
前記映像受信手段によって受信した映像を投影する映像投影手段と、
前記スクリーンへ照射されるポインタの位置を取得するポインタ位置取得手段と、
前記ポインタ位置取得手段によって取得したポインタの位置を異なるプロジェクタ装置へ送信する送信手段と、
異なる前記プロジェクタ装置からポインタの位置を受信する受信手段と、
前記受信手段によって受信したポインタの位置を用いて、前記映像に対してポインタを投影するポインタ投影手段と、
を備えたことを特徴とするプロジェクタ装置。
【請求項６】
スクリーンへ映像を投影するプロジェクタ装置間を、ネットワークを介して接続したプロジェクタ装置システムの制御方法であって、
前記プロジェクタ装置は、
前記映像を受信する映像受信ステップと、
前記映像受信ステップによって受信した映像を投影する映像投影ステップと、
スクリーンへ照射されるポインタの位置を取得するポインタ位置取得ステップと、
前記ポインタ位置取得ステップによって取得したポインタの位置を異なるプロジェクタ装置へ送信する送信ステップと、
を実行し、
異なる前記プロジェクタ装置は、
前記送信ステップによって送信されたポインタの位置を用いて、前記映像に対してポインタを投影するポインタ投影ステップと、
を実行することを特徴とするプロジェクタ装置システムの制御方法。
【請求項７】
スクリーンへ映像を投影するプロジェクタ装置の制御方法であって、
前記プロジェクタ装置は、
前記映像を受信する映像受信ステップと、
前記映像受信ステップによって受信した映像を投影する映像投影ステップと、
前記スクリーンへ照射されるポインタの位置を取得するポインタ位置取得ステップと、
前記ポインタ位置取得ステップによって取得したポインタの位置を異なるプロジェクタ装置へ送信する送信ステップと、
異なる前記プロジェクタ装置からポインタの位置を受信する受信ステップと、
前記受信ステップによって受信したポインタの位置を用いて、前記映像に対してポインタを投影するポインタ投影ステップと、
を実行することを特徴とするプロジェクタ装置の制御方法。
【請求項８】
スクリーンへ映像を投影するプロジェクタ装置間を、ネットワークを介して接続したプロジェクタ装置システムにおいて読取実行可能なプログラムであって、
前記プロジェクタ装置を、
前記映像を受信する映像受信手段と、
前記映像受信手段によって受信した映像を投影する映像投影手段と、
スクリーンへ照射されるポインタの位置を取得するポインタ位置取得手段と、
前記ポインタ位置取得手段によって取得したポインタの位置を異なるプロジェクタ装置へ送信する送信手段と、
として機能させ、
異なる前記プロジェクタ装置を、
前記送信手段によって送信されたポインタの位置を用いて、前記映像に対してポインタを投影するポインタ投影手段と、
して機能させることを特徴とするプログラム。
【請求項９】
スクリーンへ映像を投影するプロジェクタ装置で読取実行可能なプログラムであって、
前記プロジェクタ装置を、
前記映像を受信する映像受信手段と、
前記映像受信手段によって受信した映像を投影する映像投影手段と、
前記スクリーンへ照射されるポインタの位置を取得するポインタ位置取得手段と、
前記ポインタ位置取得手段によって取得したポインタの位置を異なるプロジェクタ装置へ送信する送信手段と、
前記異なるプロジェクタ装置からポインタの位置を受信する受信手段と、
前記受信手段によって受信したポインタの位置を用いて、前記映像に対してポインタを投影するポインタ投影手段と、
して機能させることを特徴とするプログラム。
【発明の詳細な説明】
【技術分野】
【０００１】
本発明は、複数地点間でのプロジェクタ装置に関して、投影されたポインタの指示位置の表示制御に関する。
【背景技術】
【０００２】
近年、離れた拠点間での講義や会議などで、インターネットを利用したテレビ講義システムやテレビ会議システムがすでに存在する。
【０００３】
このようなシステムは資料の説明者がどの部分を説明しているかを遠隔地へ示す必要があり、また遠隔地からは資料の変更などができない。
【０００４】
そこで、特許文献1にはレーザーポインタの指示位置を取得するカメラを用いてその指示位置を遠隔地へ送信するシステムが記載されている。
【０００５】
あるいは、特許文献2には、レーザーポインタを使用して、発表資料を制御するシステムが記載されている。
【先行技術文献】
【特許文献】
【０００６】
【特許文献１】特開２００５−２３４３６８号公報
【特許文献２】特開２０１１−１０３６２１号公報
【発明の概要】
【発明が解決しようとする課題】
【０００７】
特許文献１に記載の技術では、講師がスクリーン上で指示するポインタ位置が受講者に正確に伝達され、またナローバンドの受講者であっても遠隔講義を受けることが可能な遠隔講義システムを実現することが可能となる。
【０００８】
しかしながら、このシステムでは、ポインタ位置の送信方向は、講師側から受講者側への一方向のみであり、双方向からのポインタ位置の送信は想定していないため、遠隔地間で開催される会議等で、双方でプロジェクタを利用した場合、双方向で、ポインタ位置を送信しあうことの方が、よりプロジェクタによって投影された資料のポイント等を認識し易いが、このようなケースに対しての記載や示唆はない。
【０００９】
また、特許文献２に記載の技術では、制御光線を用いて制御対象装置を遠隔操作する遠隔制御システムおよび受光装置での外乱光による影響を低減することが可能となる。
【００１０】
しかしながら、このシステムでは、受光装置を組み込んだ専用のスクリーンを必要とし、また、レーザー光を受光するため、遠隔地から送信されたポインタ位置を使用した制御を行うことは難しい。
【００１１】
従って、前述と同様に、遠隔地間で開催される会議等で、双方でプロジェクタを利用した場合、双方向で、ポインタ位置を送信しあうようなことについては、想定されていない。
【００１２】
そこで、本発明の目的は、複数のプロジェクタを用いて映像を映し出すにあたり、双方の映像に対して、プロジェクタで投影された映像に対するポインタの位置をも映し出すことで、双方のコミュニケーションを円滑にすることが可能なプロジェクタ装置、プロジェクタ装置システム、制御方法、及びプログラムを提供することを目的とする。
【課題を解決するための手段】
【００１３】
上記課題を解決するための第１の発明は、スクリーンへ映像を投影するプロジェクタ装置間を、ネットワークを介して接続したプロジェクタ装置システムであって、前記プロジェクタ装置は、前記映像を受信する映像受信手段と、前記映像受信手段によって受信した映像を投影する映像投影手段と、スクリーンへ照射されるポインタの位置を取得するポインタ位置取得手段と、前記ポインタ位置取得手段によって取得したポインタの位置を異なるプロジェクタ装置へ送信する送信手段と、を備え、異なる前記プロジェクタ装置は、前記送信手段によって送信されたポインタの位置を用いて、前記映像に対してポインタを投影するポインタ投影手段と、を備えたことを特徴とする。
【００１４】
上記課題を解決するための第２の発明は、スクリーンへ映像を投影するプロジェクタ装置であって、前記映像を受信する映像受信手段と、前記映像受信手段によって受信した映像を投影する映像投影手段と、前記スクリーンへ照射されるポインタの位置を取得するポインタ位置取得手段と、前記ポインタ位置取得手段によって取得したポインタの位置を異なるプロジェクタ装置へ送信する送信手段と、異なる前記プロジェクタ装置からポインタの位置を受信する受信手段と、前記受信手段によって受信したポインタの位置を用いて、前記映像に対してポインタを投影するポインタ投影手段と、を備えたことを特徴とする。
【００１５】
上記課題を解決するための第３の発明は、スクリーンへ映像を投影するプロジェクタ装置間を、ネットワークを介して接続したプロジェクタ装置システムの制御方法であって、前記プロジェクタ装置は、前記映像を受信する映像受信ステップと、前記映像受信ステップによって受信した映像を投影する映像投影ステップと、スクリーンへ照射されるポインタの位置を取得するポインタ位置取得ステップと、前記ポインタ位置取得ステップによって取得したポインタの位置を異なるプロジェクタ装置へ送信する送信ステップと、を実行し、異なる前記プロジェクタ装置は、前記送信ステップによって送信されたポインタの位置を用いて、前記映像に対してポインタを投影するポインタ投影ステップと、を実行することを特徴とする。
【００１６】
上記課題を解決するための第４の発明は、スクリーンへ映像を投影するプロジェクタ装置の制御方法であって、前記プロジェクタ装置は、前記映像を受信する映像受信ステップと、前記映像受信ステップによって受信した映像を投影する映像投影ステップと、前記スクリーンへ照射されるポインタの位置を取得するポインタ位置取得ステップと、前記ポインタ位置取得ステップによって取得したポインタの位置を異なるプロジェクタ装置へ送信する送信ステップと、異なる前記プロジェクタ装置からポインタの位置を受信する受信ステップと、前記受信手段によって受信したポインタの位置を用いて、前記映像に対してポインタを投影するポインタ投影ステップと、を実行することを特徴とする。
【００１７】
上記課題を解決するための第５の発明は、スクリーンへ映像を投影するプロジェクタ装置間を、ネットワークを介して接続したプロジェクタ装置システムにおいて読取実行可能なプログラムであって、前記プロジェクタ装置を、前記映像を受信する映像受信手段と、前記映像受信手段によって受信した映像を投影する映像投影手段と、スクリーンへ照射されるポインタの位置を取得するポインタ位置取得手段と、前記ポインタ位置取得手段によって取得したポインタの位置を異なるプロジェクタ装置へ送信する送信手段と、として機能させ、異なる前記プロジェクタ装置を、前記送信手段によって送信されたポインタの位置を用いて、前記映像に対してポインタを投影するポインタ投影手段と、して機能させることを特徴とする。
【００１８】
上記課題を解決するための第６の発明は、スクリーンへ映像を投影するプロジェクタ装置で読取実行可能なプログラムであって、前記プロジェクタ装置を、前記映像を受信する映像受信手段と、前記映像受信手段によって受信した映像を投影する映像投影手段と、前記スクリーンへ照射されるポインタの位置を取得するポインタ位置取得手段と、前記ポインタ位置取得手段によって取得したポインタの位置を異なるプロジェクタ装置へ送信する送信手段と、前記異なるプロジェクタ装置からポインタの位置を受信する受信手段と、前記受信手段によって受信したポインタの位置を用いて、前記映像に対してポインタを投影するポインタ投影手段と、して機能させることを特徴とする。
【発明の効果】
【００１９】
本発明によれば、複数のプロジェクタを用いて映像を映し出すにあたり、双方のプロジェクタで投影された映像に対するポインタの位置を取得し、他方のプロジェクトへ送信することで、他方のプロジェクタに於いて、映し出された映像に合わせて受信したポインタの位置に基づいて、当該ポインタを映し出すことによって、双方のコミュニケーションを円滑にすることが可能となる、という効果を奏する。
【図面の簡単な説明】
【００２０】
【図１】本発明の実施形態に係るプロジェクタ装置システムの構成の一例を示すシステム構成図である。
【図２】本発明の実施形態に係るクライアント端末のハードウェア構成を示すブロック図である。
【図３】本発明の実施形態に係るプロジェクタ装置のハードウェア構成を示すブロック図である。
【図４】本発明の実施形態に係るプロジェクタ装置システムにおけるポインタ位置を含む映像を映し出すための処理の流れを示すための説明図である。
【図５】本発明の実施形態におけるポインタ位置表示の一例を示すためのモデル図である。
【図６】本発明の実施形態における制御パネル表示の一例を示すためのモデル図である。
【図７】本発明の実施形態におけるポインタの表示モードがプレゼンテーションモードの時の映像を映し出す処理の流れを示す説明図である。
【図８】本発明の実施形態におけるポインタの表示モードが討論モードの時の映像を映し出す処理の流れを示す説明図である。
【図９】本発明の実施形態に係るプロジェクタ装置システムにおけるポインタ位置を含む映像を映し出すための処理の流れを示すためのフローチャートである。
【図１０】本発明の実施形態に係るプロジェクタ装置システムにおけるポインタ位置を含む映像を映し出すための処理の流れを示すためのフローチャートである。
【図１１】本発明の実施形態に係るプロジェクタ装置システムにおけるモード切替えの処理の流れを示すフローチャートである。
【図１２】本発明の実施形態に係るプロジェクタ装置システムにおける制御パネルを用いたプロジェクタ装置を制御する処理の流れを示すフローチャートである。
【図１３】本発明の実施形態に係るプロジェクタ装置システムにおける各処理に於いて利用されるデータを記憶するためのテーブル等の構成を示す構成図である。
【図１４】本発明の実施形態におけるレーザーポインタの位置情報からポインタの照射位置を取得する方法の一例を示すモデル図である。
【図１５】本発明の実施形態におけるスクリーンに照射されたポインタの波長からポインタの照射位置を取得する方法の一例を示すモデル図である。
【図１６】本発明の実施形態におけるネットワーク設定用画面の構成を示す構成図である。
【図１７】本発明の実施形態における接続プロジェクタ設定用画面の構成を示す構成図である。
【図１８】本発明の実施形態におけるポインタ表示モード切替え用画面の構成を示す構成図である。
【図１９】本発明の実施形態における複数の地点でポインタ表示モードを切替え中の警告用画面の構成を示す構成図である。
【発明を実施するための形態】
【００２１】
図１は本発明のプロジェクタ装置システムの構成の一例を示すシステム構成図である。
【００２２】
プロジェクタ装置システムは、クライアント端末１００、スクリーン１０１、レーザーポインタ１０２、ネットワーク１０３、遠隔地のプロジェクタ装置システム１０４、プロジェクタ装置１０５を含む構成を備えている。
【００２３】
クライアント端末１００は、プロジェクタ装置１０５に対する各設定情報等を登録するための情報処理装置であり、スクリーン１０１は、プロジェクタ装置１０５から投影される映像が映し出され、更に、レーザーポインタ１０２によって照射されるレーザーが、ポインタとして映し出される。プロジェクタ装置１０５は、レーザーポインタ１０２の位置からレーザーポインタ１０２によって映し出されたポインタの位置を取得することも可能である（詳細後述）。
【００２４】
プロジェクタ装置システムは、クライアント端末１００、スクリーン１０１、レーザーポインタ１０２、ネットワーク１０３、及びプロジェクタ装置１０５を１つのユニットとして、他拠点に存在するプロジェクタ装置システム１０４とネットワーク１０３を介して接続されており、相互のユニット同士で、スクリーン１０１にポインタを含む映像を映し出す。
【００２５】
図２はクライアント端末のハードウェア構成図である。
【００２６】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２７】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２８】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２９】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００３０】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００３１】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３２】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３３】
図３はプロジェクタ装置のハードウェア構成図である。
【００３４】
プロジェクタ装置１０５は、ＬＡＮアダプタ（不図示）との無線通信を行う無線ＬＡＮインターフェイス（Ｉ／Ｆ）３０１と、ＬＡＮ  Ｉ／Ｆ３０１で受け取ったＴＣＰ／ＩＰデータから画像を生成すると共に、ポインタの位置情報を特定する画像生成部３０２と、画像を表示する液晶パネル３０３と、光源３０４と、光源３０４の光が液晶パネル３０３で変調された画像を拡大・投射する投射レンズ３０５とで構成されている。
【００３５】
図４を用いて、プロジェクタ装置システムにおけるポインタ位置を含む映像を映し出すための処理の流れを説明する。
【００３６】
現在地に設置されたクライアント端末１００は、プロジェクタ装置１０５へ、スクリーン１０１へ投影する画像を送信すると共に、遠隔地（１）及び遠隔地（２）に設置されたプロジェクタ装置１０５またはクライアント端末１００（不図示）へ、スクリーン１０１へ投影するための画像４０１を送信する。
【００３７】
遠隔地のプロジェクタ装置１０５またはクライアント端末１００（不図示）は、送信された画像４０１をそれぞれ自身の拠点に設置されたスクリーン１０１へ投影し、そして、プロジェクタ装置１０５は、自身の拠点で利用されるレーザーポインタ１０２によるポインタの位置を取得して、そのポインタの位置情報４０２を現在地のプロジェクタ装置１０５またはクライアント端末１００へ送信する。
【００３８】
そして、現在地に設置されたプロジェクタ装置１０５またはクライアント端末１００は、送信されたポインタの位置情報を受信して、現在地に設置されたスクリーン１０１にポインタを投影する。
【００３９】
図５を用いて、ポインタの位置を表示する際の表示例を説明する。
【００４０】
スクリーン１０１には、各ユニット単位で送信されてくるポインタを表示することが可能であり、遠隔地（１）から送信されたポインタに関しては、ポインタ位置５０１へ投影されるが、同様に、遠隔地（２）、遠隔地（３）についてもポインタが、其々、投影される。
【００４１】
また、各ポインタには、何れのユニット、つまり拠点から送信されたポインタなのかを識別表示するために、例えば、遠隔地（３）から送信されたポインタであれば、送信元の拠点名を示す拠点名５０２（遠隔地（３）として投影）が投影されるが、此方も、同様に、遠隔地（１）、遠隔地（２）についてのポインタに対して、拠点名５０２が投影される。尚、この拠点名（２）は、投影される資料等が見難くなることも想定されるので、一定の時間経過などにより、非表示にすることが可能である。
【００４２】
また、ポインタの表示図形は、ポインタの送信元毎に変更することが可能であり、例えば、遠隔地（２）から送信されたポインタの表示図形を他のポインタとは別の表示図形５０３に変更することが可能である。
【００４３】
図６を用いて、制御パネル表示の一例を説明する。
【００４４】
制御パネルとは、スクリーン１０１に対して投影されたパネルにポインタを当てることで、投影される映像に対して操作を行うことが可能である。
【００４５】
この制御パネルを用いた映像に対する操作方法として、スクリーン１０１に投影された制御パネル６０１へポインタ位置６０２が重なると、プロジェクタ装置１０５は、制御パネル６０１に予め設定された対応する動作をクライアント端末１００もしくはプロジェクタ装置１０５に対して要求する。
【００４６】
各制御パネルを表示する位置は、投影しようとしている画像の右下の位置を原点として、原点に対して画像の垂直方向をＸ軸、原点に対して画像の平行方向をＹ軸として予め定められている。
【００４７】
尚、複数のポインタ位置６０２が制御パネル６０１と重なった場合は、ポインタが重なったタイミングが早い順位に従って実行される。
【００４８】
図７を用いて、ポインタの表示モードがプレゼンテーションモードの時の映像を映し出す処理の流れを説明する。
【００４９】
本発明では、ポインタの表示モードを選択することが可能であり、その１つのモードとして、発表者側が一方的に、自身の拠点でスクリーンへ投影された画像を他の拠点のスクリーンへ投影するモードが選択可能である。
【００５０】
例えば、現在地に発表者が居り、現在地に設置されたスクリーン７０１（スクリーン１０１と同じ）に対して映像を映し出し、レーザーポインタ７０２（レーザーポインタ１０２と同じ）によってポインタを投影した場合、そのスクリーン７０１に投影された映像に関する画像とポインタの位置情報が、現在地に設置されたプロジェクタ装置７０３（プロジェクタ装置１０５と同じ）から遠隔地（１）及び遠隔地（２）に設置されたプロジェクタ装置７０４、７０５（プロジェクタ装置１０５と同じ）に送信される。
【００５１】
しかしながら、遠隔地（１）及び遠隔地（２）に設置されたプロジェクタ装置７０４、７０５からは、現在地に設置されたプロジェクタ装置７０３に対しては、遠隔地（１）及び遠隔地（２）において用いられたレーザーポインタ７０６、７０７（レーザーポインタ１０２と同じ）によるポインタの位置情報は送信されないようなモードを選択することが可能である。
【００５２】
図８を用いて、ポインタの表示モードが討論モードの時の映像を映し出す処理の流れを説明する。
【００５３】
発表者側が一方的に、自身の拠点でスクリーンへ投影された画像を他の拠点のスクリーンへ投影するモードについて説明したが、このモード以外にも、拠点間で討論等を行う時に、双方でポインタの送受信を行うことが可能なモードを選択することが可能であり、このモードについて説明する。
【００５４】
例えば、現在地に発表者が居り、現在地に設置されたスクリーン８０１（スクリーン１０１と同じ）に対して映像を映し出し、レーザーポインタ８０２（レーザーポインタ１０２と同じ）によってポインタを投影した場合、そのスクリーン８０１に投影された映像に関する画像とポインタの位置情報が、現在地に設置されたプロジェクタ装置８０３（プロジェクタ装置１０５と同じ）から遠隔地（１）及び遠隔地（２）に設置されたプロジェクタ装置８０４、８０５（プロジェクタ装置１０５と同じ）に送信される。
【００５５】
そして、遠隔地（１）及び遠隔地（２）に設置されたプロジェクタ装置８０４、８０５からは、現在地に設置されたプロジェクタ装置８０３に対しては、遠隔地（１）及び遠隔地（２）において用いられたレーザーポインタ８０６、８０７（レーザーポインタ１０２と同じ）によるポインタの位置情報も送信されるようなモードを選択することが可能である。
【００５６】
図９及び図１０に示すフローチャートを用いて、プロジェクタ装置システムにおけるポインタ位置を含む映像を映し出すための処理の流れを説明する。
【００５７】
ステップＳ１０１では、プロジェクタ装置１０５は、プロジェクタ装置１０５の電源が入力されることを検知することで自身を起動し、ステップＳ１０２では、プロジェクタ装置１０５は、自身に対してネットワークの設定がなされているか否かを判定し、設定がなされていると判定しない場合は、ステップＳ１０３へ処理を進め、設定がなされていると判定した場合は、ステップＳ１０４へ処理を進める。
【００５８】
ステップＳ１０３では、同じ拠点に設置されたクライアント端末１００は、プロジェクタ装置１０５自身のネットワークの設定に関する処理を行うが、この設定は、図１６に示すネットワーク設定用画面を用いて設定を行う。
【００５９】
ネットワーク設定用画面は、ＣＲＴ２１０へ表示され、自身のプロジェクタ装置１０５を識別するための名称を示すプロジェクタ名称１１０１、ネットワーク設定に必要とするアドレスの設定をＤＨＣＰ等の自動設定とするか、手動設定とするかを選択するための選択欄１１０２、選択欄１１０２に対して手動設定を選択した際に当該アドレスを設定するためのアドレス入力欄１１０３、プロジェクタ装置１０５に割り当てられた自身のＭａｃアドレスを表示するためのＭａｃアドレス表示欄１１０４、及びプロジェクタ装置１０５を一意に識別するためのＩＤを示すプロジェクタＩＤ表示欄１１０５を備えている。
【００６０】
ユーザは、ネットワーク設定用画面を用いて、利用するプロジェクタ装置１０５に関するネットワークの設定を行う。尚、このネットワーク設定用画面を用いて入力された各設定値は、図１３に示す自機情報テーブルに記憶する。
【００６１】
自機情報テーブルは、プロジェクタ装置１０５の自身に関する情報を記憶するためのテーブルであり、プロジェクタ装置１０５の所定の記憶領域（不図示）へ記憶する。
【００６２】
自機情報テーブルは、プロジェクタ装置１０５のプロジェクタ名、プロジェクタ装置１０５を一意に識別するためのＩＤを示すプロジェクタＩＤ、プロジェクタ装置１０５に割り当てられたＩＰアドレス、ポインタの照射位置を示すＸ座標、ポインタの照射位置を示すＹ座標、スクリーンへ投影するモードを示すモード、発表者用のクライアント端末であることを示す発表端末、及びクライアント端末との通信を行うためのＩＰアドレス等の情報を示す接続端末情報を備えている。
【００６３】
尚、初期状態では、自機情報テーブルのプロジェクタ名及びプロジェクタＩＤが記憶されており、この項目以外の項目については、データが未登録の状態となる。
【００６４】
従って、ステップＳ１０２における判定は、この自機情報テーブルへプロジェクタ名及びプロジェクタＩＤ以外の項目にデータが登録されているか否かを判定し、データが登録されていない場合は、ステップＳ１０３へ処理を進め、データが登録されていない場合、ステップＳ１０４へ処理を進める。
【００６５】
ステップＳ１０４では、プロジェクタ装置１０５は、自機情報テーブルに記憶されたＩＰアドレス等の情報を用いて、ネットワークに対して接続を行い、ステップＳ１０５では、プロジェクタ装置１０５は、遠隔地のプロジェクタ装置１０５に関する情報が登録されているか否かを判定し、登録されていると判定しない場合は、ステップＳ１０６へ処理を進め、登録されていると判定した場合は、ステップＳ１０７へ処理を進める。
【００６６】
本ステップにおける判定方法としては、プロジェクタ装置１０５自身の所定の記憶領域へ記憶した図１３に示す遠隔機情報テーブルにデータが登録されているか否かを判定し、登録されていると判定しない場合は、ステップＳ１０６へ処理を進め、登録されていると判定した場合は、ステップＳ１０７へ処理を進める。
【００６７】
遠隔機情報テーブルには、プロジェクタ装置１０５自身とは異なる拠点の遠隔地に設置されたプロジェクタ装置１０５に関する情報を記憶するためのテーブルであり、遠隔地に設置されたプロジェクタ装置の名称を示すプロジェクタ名、遠隔地に設置されたプロジェクタ装置を一意に識別するためのプロジェクタＩＤ、遠隔地に設置されたプロジェクタ装置に割り当てられたＩＰアドレス、遠隔地で利用されたレーザーポインタによるポインタの照射位置を示すＸ座標、ポインタの照射位置を示すＹ座標、ポインタの送信元の拠点名を示す表示名（例えば、図５に示す拠点名５０２）、ポインタを表示する色、及びポインタの表示形状（例えば、図５に示す表示図形５０３）から構成される。
【００６８】
ステップＳ１０６では、同じ拠点に設置されたクライアント端末１００は、プロジェクタ装置１０５は、接続する遠隔地に設置されたプロジェクタ装置１０５に関しての設定を行うが、この設定は、図１７に示す接続プロジェクタ設定用画面を用いて設定を行う。
【００６９】
接続プロジェクタ設定用画面は、ＣＲＴ２１０へ表示され、自身とは異なる他拠点のプロジェクタ装置１０５を識別するための名称を入力するためのプロジェクタ名称入力欄１２０１、及び、同じく自身とは異なる他拠点のプロジェクタ装置１０５を一意に識別するためのＩＤを入力するためのプロジェクタＩＤ入力欄１２０２を備えている。
【００７０】
また、接続プロジェクタ設定用画面は、プロジェクタ装置１０５に既に登録されている遠隔地のプロジェクタ装置に関する情報を表示するための検索結果表示領域１２０３を備えており、検索結果表示領域１２０３は、プロジェクタ名称入力欄１２０１あるいはプロジェクタＩＤ入力欄１２０２の各入力欄にデータを入力した後、当該入力欄の近傍に備えられた検索ボタンを押下することで、各入力欄に入力されたプロジェクタ名称、あるいはプロジェクタＩＤに該当する遠隔機情報テーブルのプロジェクタ名及びプロジェクタＩＤに対応するデータを取得して表示する。
【００７１】
更に、検索結果表示領域１２０３の近傍に備えられた追加ボタンを押下することで、遠隔地のプロジェクタ装置１０５に関する情報を入力するための画面（不図示）をＣＲＴ２１０へ表示し、この情報を遠隔機情報テーブルに記憶する。
【００７２】
また、接続プロジェクタ設定用画面は、プロジェクタ装置１０５に既に登録されている遠隔地のプロジェクタ装置に関する詳細な情報を表示するための登録プロジェクタ表示領域１２０４を備えており、検索結果表示領域１２０３と同様に、プロジェクタ名称入力欄１２０１あるいはプロジェクタＩＤ入力欄１２０２の各入力欄にデータを入力した後、当該入力欄の近傍に備えられた検索ボタンを押下することで、各入力欄に入力されたプロジェクタ名称、あるいはプロジェクタＩＤに該当する遠隔機情報テーブルのプロジェクタ名及びプロジェクタＩＤに対応するデータを取得して表示する。
【００７３】
検索結果表示領域１２０３に対しては、プロジェクタ名称及びプロジェクタＩＤを表示するに留まるが、登録プロジェクタ表示領域１２０４に対しては、プロジェクタ装置に関するプロジェクタ名、ポインタの送信元の拠点名を示す表示名、及びポインタを表示する色、及びポインタの表示形状が表示され、これらのデータは、遠隔機情報テーブルに記憶されたものである。尚、登録プロジェクタ表示領域１２０４に対して直接データを更新することにより、遠隔機情報テーブルのデータを更新することが可能である。
【００７４】
次に、ステップＳ１０７からステップＳ１１９において、拠点間におけるプロジェクタ装置１０５において、双方にポインタを投影する処理を実行する。
【００７５】
ステップＳ１０７では、プロジェクタ装置１０５は、スクリーン１０１へ投影するための画像の送信元の判定を行い、ローカル接続したクライアント端末１００、つまり同じ拠点に設置されたクライアント端末１００から画像を受信したのか、あるいは、ネットワーク１０３を介して、他の拠点（遠隔地）に設置されたクライアント端末１００から画像を受信したのかを判定する。
【００７６】
本ステップにおける判定方法としては、受信した画像に含まれる送信元のＩＰアドレス等の情報が、自機情報テーブルの接続端末情報と一致すれば、同じ拠点に設置されたクライアント端末１００から画像を受信したと判定して、ステップＳ１０８へ処理を進め、自機情報テーブルの接続端末情報と一致しなければ、他の拠点に設置されたクライアント端末１００から画像を受信したと判定して、ステップＳ１０９へ処理を進める。
【００７７】
ステップＳ１０８では、プロジェクタ装置１０５は、ローカル接続されたクライアント端末１００から送信された画像を受信し、ステップＳ１０９では、プロジェクタ装置１０５は、ネットワーク接続されたクライアント端末１００から送信された画像を受信する。
【００７８】
ステップＳ１０８及びステップＳ１０９では、何れの拠点に設置されたクライアント端末１００から投影された画像を、各拠点に於いて投影することで、各拠点では、同じ画像を参照することが可能となる。
【００７９】
ステップＳ１１０では、プロジェクタ装置１０５は、ステップＳ１０８及びステップＳ１０９において受信した画像を、スクリーン１０１に対して投影する。
【００８０】
ステップＳ１１１では、プロジェクタ装置１０５は、レーザーポインタ１０２によるポインタの照射が行われているか否かを判定し、照射されていると判定した場合、ステップＳ１１２へ処理を進め、照射されていると判定しない場合、ステップＳ１１６へ処理を進める。尚、本ステップにおける判定方法は、照射位置を取得する方法と共に、後述する。
【００８１】
ステップＳ１１２では、プロジェクタ装置１０５は、レーザーポインタ１０２によるポインタの照射位置を取得して、自機情報テーブルの照射位置のＸ座標、照射位置のＹ座標に記憶する。
【００８２】
次に、図１４及び図１５を用いて、レーザーポインタ１０２の位置情報からポインタの照射位置を取得する方法の一例を説明する。
【００８３】
まず、図１４の左上に示す図面を用いて説明する。プロジェクタ装置１０５は、レーザーポインタ１０２の位置を検知するレーザーポインタ位置検知センサー９０１を備え、レーザーポインタ位置検知センサー９０１は、プロジェクタ装置１０５の前面（あるいは、後面）及び横面からの距離が等しくなるような位置にそれぞれ備えられている。
【００８４】
レーザーポインタ位置検知センサー９０１は、レーザーポインタ位置検知センサー９０１同士を結ぶ直線を軸として、レーザーポインタ１０２の軸に対する角度を示す角度Ａ９０２及び角度Ｂ９０３を求め、レーザーポインタ位置検知センサー９０１間の距離と角度Ａ９０２及び角度Ｂ９０３とから、レーザーポインタ１０２と軸までの距離を求める。
【００８５】
以上により、レーザーポインタ１０２の横方向の座標を特定することが可能となる。この場合、例えば、投射レンズ３０５の中心位置を原点として、各レーザーポインタ位置検知センサー９０１の座標値を予め定めておき、左のレーザーポインタ位置検知センサー９０１の位置から、レーザーポインタ１０２から軸に垂直に下した線と軸との交点までの距離が、レーザーポインタ１０２の横（Ｘ軸）方向の座標として特定する。
【００８６】
そして、右上の図に示されるように、レーザーポインタ位置検知センサー９０１の位置からプロジェクタ装置１０５を設置する水平な台等に対して平行方向を軸として、レーザーポインタ位置検知センサー９０１の角度を示す角度Ｘ９０４を求める。
【００８７】
以上により、レーザーポインタ１０２と軸までの距離（左上図と同様に求める）、角度Ｘ９０４、及びレーザーポインタ１０２の垂直方向に下した線とレーザーポインタ１０２と軸とを垂直に結んだ線とからなる角度９１４から、レーザーポインタ１０２の縦方向（Ｙ軸）の座標を特定する。角度Ｘを頂角とする直角三角形を用いることでこの座標が求まる
【００８８】
次に、図１４の左下に示す図に関して説明する。
【００８９】
プロジェクタ装置１０５は、対象物に対する距離を計測するための測距センサー９０６を備えており、測距センサー９０６は、スクリーン１０１までの距離９０７を計測する。そして、測距センサー９０６の位置（投射レンズ３０５の中心位置を原点として予め定めた座標値が設定されている）と投射レンズ３０５の中心位置（原点）とを用いて、計測した距離９０７を補正して原点からのスクリーン１０１までの距離を得て、投射レンズ３０５の角度、ズーム倍率などからスクリーン１０１に投影される画像の大きさを計測する。
【００９０】
次に、図１４の右下に示す図より、レーザーポインタ１０２と測距センサー９０６との角度９０８（測距センサー９０６の近傍にレーザーポインタ位置検知センサー９０１を備えて角度９０８を求める）及び距離と、レーザーポインタ１０２の傾き（傾きセンサーを用いて計測した角度）と、から角度９０９を求める。
【００９１】
そして、プロジェクタ装置からスクリーン１０１に対して垂直方向の線を延長し、レーザーポインタ１０２からスクリーン１０１に対する照射方向の線を延長して、延長線の交差する点を９１０とし、スクリーン１０１と交差した点を９１１、９１２とする。
【００９２】
角度９０８と角度９０９とレーザーポインタ１０２とプロジェクタ装置１０５との距離から、プロジェクタ装置１０５から９１０までの距離が求まるため、この求めた距離とプロジェクタ装置１０５からスクリーン１０１への距離の差を求めることで、９１１と９１０との距離が求まる。
【００９３】
次に、レーザーポインタ１０２に備えられた不図示のレーザーポインタ１０２の傾きを計測する傾きセンサーを用いて、レーザーポインタ１０２の傾きを求め、プロジェクタ装置１０５へこの傾きに関する情報を送信する。尚、この傾きを求める方法は、特に限定されることはないが、垂直上向きを角度０度として、その傾きを求める。以上により、レーザーポインタ１０２の照射方向（角度９０９）が求まる。
【００９４】
そして、角度９１３については、角度９０８、９０９、９１３からなる三角形を考慮すると、角度９０８、９０９が定まっているため、角度９１３は、自然と求まる。
【００９５】
角度９１３と、９１０と９１１とを結んだ線と９１１と９１２とを結んだ線との角度（直角）と、９１０と９１１との距離から、９１１と９１２との距離が求まる。
【００９６】
以上により、測距センサー９０６とレーザーポインタ位置検知センサー９０１との位置関係を考慮して、照射されたポインタの横（Ｘ軸）方向の座標が求まる。
【００９７】
そして、レーザーポインタ１０２のスクリーン１０１との距離が、レーザーポインタ１０２の位置から求まり、この距離、スクリーン１０１に対する垂直方向に対する傾き（傾きセンターより計測）、及びレーザーポインタ１０２とスクリーン１０１のなす角度（直角）から、レーザーポインタ１０２の位置を考慮して、レーザーポインタ１０２の縦（Ｙ軸）方向の座標が求まる。
【００９８】
そして、プロジェクタ装置１０５の投影レンズ３０５の中心位置を原点としたポインタの位置が定まるため、この原点を、投影される画像の中心位置と見做す。更に、このスクリーン１０１上の投影される画像の左上を原点とすることで、画像に含まれる画像を構成する要素（図面や文字など）の位置が定まるが、この投影される画像の中心位置を原点として座標を置換えることで、ポインタの位置が、この投影される画像に対する位置として、求めることが可能となる。計測したスクリーン１０１に投影される画像の大きさに基づいて、投影すべく元々の画像に対するポインタの位置を求めることができる。尚、プロジェクタ装置１０５とプロジェクタ装置１０５を設置した台に対する傾き（図１４の右上の図、角度Ｙ）を考慮して、各座標の補正を行っても良い。
【００９９】
図１５を用いて、スクリーンに照射されたポインタの波長からポインタの照射位置を取得する方法を説明する。
【０１００】
測距センサー９０６は、スクリーン１０１までの距離９０７を計測し、プロジェクタ装置１０５に備えられた照射位置検知センサー１００１によって、レーザーポインタ１０２から照射されるポインタの照射位置１００２からの反射光１００３を検知し、その入射角とスクリーン１０１までの距離９０７から照射位置１００２の座標データを取得する。
【０１０１】
座標データを用いて、投影すべく画像に対するポインタの位置を求める方法は、前述した通りである。
【０１０２】
ステップＳ１１３では、プロジェクタ装置１０５は、ポインタを表示するモードが何れのモードであるかを判定し、プレゼンテーション用のモードであると判定した場合、ステップＳ１１４へ処理を進め、討論用のモードであると判定した場合、ステップＳ１１５へ処理を進める。
【０１０３】
本ステップにおける判定方法としては、自機情報テーブルのモードを参照することによって判定され、モードが、プレゼンテーション用のモードを示すようであれば、ステップＳ１１４へ処理を進め、モードが、討論用のモードを示すようであれば、ステップＳ１１５へ処理を進める。尚、このモードの設定方法については後述する。
【０１０４】
ステップＳ１１４では、プロジェクタ装置１０５は、自身がプレゼンテーション中であるか否かを判定し、プレゼンテーション中であると判定した場合、ステップＳ１１５へ処理を進め、プレゼンテーション中であると判定しない場合、ステップＳ１１６へ処理を進める。
【０１０５】
本ステップにおける判定方法としては、自機情報テーブルの発表端末に自機の情報が存在する場合、プレゼンテーション中であると判定し、発表端末に他の機器の情報が存在する場合、プレゼンテーション中であると判定しない。
【０１０６】
ステップＳ１１５では、プロジェクタ装置１０５は、ステップＳ１１２において取得したポインタの照射位置に関する情報を遠隔地のプロジェクタ装置またはクライアント端末に送信する。送信する際には、遠隔機情報テーブルのＩＰアドレスに記憶されたデータに基づいて送信先の宛先を特定し、この情報を送信する。
【０１０７】
尚、本ステップで送信するポインタの照射位置に関する情報は、図１３に示す送信先情報に示されるデータ構造を備えたファイル等で送信される。送信先情報は、自身のプロジェクタ装置１０５のプロジェクタ名、自身のプロジェクタ装置１０５のプロジェクタＩＤ、ポインタの照射位置のＸ座標、及びポインタの照射位置のＹ座標から構成される。
【０１０８】
ステップＳ１１６では、プロジェクタ装置１０５は、遠隔地からポインタの位置が送信されたか否かを判定し、送信されたと判定しない場合、ステップＳ１１６へ処理を進め、送信されたと判定した場合、ステップＳ１１７へ処理を進める。本ステップもステップＳ１１５で説明したように送信先情報が、遠隔地のプロジェクタ装置あるいはクライアント端末から受信したか否かを判定し、受信したと判定した場合、ステップＳ１１７へ処理を進め、受信したと判定しない場合、ステップＳ１１９の後の処理へ進める（ループの終端へ進める）。
【０１０９】
ステップＳ１１７では、プロジェクタ装置１０５は、遠隔地から送信された送信先情報からポインタの位置を取得し、ステップＳ１１８では、プロジェクタ装置１０５は、ステップＳ１１７において取得したプロジェクタ名及びプロジェクタＩＤに該当する遠隔機情報テーブルのプロジェクタ名及びプロジェクタＩＤに対応する表示名、表示色、及び表示形状等のポインタの表示形態を取得する。
【０１１０】
ステップＳ１１９では、プロジェクタ装置１０５は、ステップＳ１１７及びステップＳ１１８において取得したポインタの位置（投影すべく画像に対するポインタの位置）及びポインタの表示形態に基づいて、スクリーン１０１に対して、ポインタの投影を行う。
【０１１１】
ステップＳ１２０では、プロジェクタ装置１０５は、ネットワーク接続の切断、例えば、遠隔地のプロジェクタ端末とクライアント端末との接続の切断や、内部に記憶したデータの削除を行う。
【０１１２】
次に、図１２に示すフローチャートを用いて、プロジェクタ装置システムにおけるモード切替えの処理の流れを説明する。
【０１１３】
ステップＳ２０１では、クライアント端末１００は、遠隔地でポインタを表示するモードが変更中であるか否かを判定し、モードが変更中であると判定しない場合、ステップＳ２０２へ処理を進め、モードが変更中であると判定する場合、ステップＳ２０８へ処理を進める。
【０１１４】
本ステップにおける判定方法は、遠隔機情報テーブルに記憶された遠隔地のプロジェクタ装置に関するＩＰアドレスを用いて、後述するポインタ表示モード切替え用画面が起動されているか否かをプロジェクタ装置に対して、問合せを行い、ポインタ表示モード切替え用画面がどの遠隔地に於いても起動されていないと判定した場合、ステップＳ２０２へ処理を進め、ポインタ表示モード切替え用画面が起動されていると判定した場合、ステップＳ２０８へ処理を進める。
【０１１５】
ステップＳ２０２では、クライアント端末１００は、図１８に示すポインタ表示モード切替え用画面をＣＲＴ２１０へ表示し、ユーザは、ポインタを表示するモードを選択する。
【０１１６】
ポインタ表示モード切替え用画面は、前述のように、プレゼンテーション用モードを選択するためのプレゼンテーション用モード選択欄１３０１、討論用モードを選択するための討論用モード選択欄１３０２を備えている。
【０１１７】
また、ポインタ表示モード切替え用画面は、プレゼンテーション用モード時における発表者の役割を果たすプロジェクタ装置１０５を選択するための発表者選択欄１３０３、発表者選択欄１３０３に対応させて、自身のプロジェクタ装置１０５あるいは遠隔地のプロジェクタ装置を表示する発表者装置表示領域１３０４を備えており、発表者装置表示領域１３０４には、自機情報テーブル及び遠隔機情報テーブルに記憶されたデータを用いて表示を行い、ユーザが、プレゼンテーション用モード選択欄１３０１を選択すると、発表者選択欄１３０３の選択を行うことが可能となる。
【０１１８】
ポインタ表示モード切替え用画面において、発表者選択欄１３０３が選択された状態で、ＯＫボタンが押下されると、選択されたプロジェクタ装置に関する情報（例えば、プロジェクタＩＤ）が、自機情報テーブルの発表端末に記憶され、討論用モード選択欄１３０２が選択された状態で、ＯＫボタンが押下されると、自機情報テーブルの発表端末に記憶されたデータはクリアされる。
【０１１９】
ステップＳ２０３では、クライアント端末１００は、ポインタ表示モード切替え用画面において選択されたモードが、プレゼンテーション用のモードであるか、あるいは、討論用のモードであるかを判定し、プレゼンテーション用のモードであると判定した場合、ステップＳ２０４へ処理を進め、討論用のモードであると判定した場合、ステップＳ２０７へ処理を進める。
【０１２０】
つまり、本ステップでは、ポインタ表示モード切替え用画面においてプレゼンテーション用モード選択欄１３０１が選択された状態でＯＫボタンが押下された場合、プレゼンテーション用のモードであると判定して、ステップＳ２０４へ処理を進め、討論用モード選択欄１３０２が選択された状態でＯＫボタンが押下された場合、討論用のモードであると判定した場合、ステップＳ２０７へ処理を進める。
【０１２１】
ステップＳ２０４では、クライアント端末１００は、ポインタ表示モード切替え用画面において選択された発表者が、自身のプロジェクタ装置１０５か、他の拠点のプロジェクタ装置であるか、を判定し、自身のプロジェクタ装置１０５であると判定した場合、ステップＳ２０６へ処理を進め、他の拠点のプロジェクタ装置であると判定した場合、ステップＳ２０５へ処理を進める。
【０１２２】
つまり、本ステップでは、ポインタ表示モード切替え用画面において、他の拠点のプロジェクタ装置を示す発表者選択欄１３０３が選択された状態でＯＫボタンが押下された場合、ステップ２０５へ処理を進め、自身のプロジェクタ装置１０５を示す発表者選択欄１３０３が選択された状態でＯＫボタンが押下された場合、ステップ２０６へ処理を進める。
【０１２３】
ステップＳ２０５では、クライアント端末１００は、選択された発表者選択欄１３０３を取得して、ステップＳ２０６では、選択されたプロジェクタ装置に関する情報（例えば、プロジェクタＩＤ）が、自機情報テーブルの発表端末に記憶される。つまり、ステップＳ２０４において発表者選択欄１３０３が選択された場合、ステップＳ２０４において取得した、プロジェクタ装置に関する情報を発表端末に記憶し、ステップＳ２０４において自身のプロジェクタ装置１０５が選択された場合、発表端末には、自身のプロジェクタＩＤを記憶する。
【０１２４】
ステップＳ２０７では、クライアント端末１００は、ステップＳ２０３でポインタ表示モード切替え用画面において選択されたモードに関する情報を自機情報テーブルのモードへ記憶し、ステップＳ２０８では、クライアント端末１００は、図１９に示す複数の地点でポインタ表示モードを切替え中の警告用画面をＣＲＴ２１０へ表示する。
【０１２５】
警告用画面は、プロジェクタ装置のモードを切り替えようとした際に、他の拠点でモードを切り替えている時に、相互で切り替えを行うことを抑止するために表示される画面であり、その旨が、警告表示領域１４０１へ表示される。
【０１２６】
次に、図１２に示すフローチャートを用いて、プロジェクタ装置システムにおける制御パネルを用いたプロジェクタ装置を制御する処理の流れを説明する。
【０１２７】
ステップＳ３０１では、プロジェクタ装置１０５は、スクリーン１０１に対して、制御パネルを投影し、ステップＳ３０２では、プロジェクタ装置１０５は、レーザーポインタ１０２によるポインタの照射位置を取得し、ステップＳ３０３では、ステップＳ３０１において投影した制御パネルとステップＳ３０２で取得したポインタの照射位置から、制御パネルに対して重なったポインタの位置を特定する。
【０１２８】
ステップＳ３０４では、プロジェクタ装置１０５は、ステップＳ３０３において取得したポインタの位置を用いて、制御パネルに対して予め定めた動作を決定して、ステップＳ３０５では、プロジェクタ装置１０５は、ステップＳ３０４で決定した動作を画像に対して行う。
【０１２９】
例えば、次のページへ進むことを示す動作（制御パネル）が選択されると、現在、投影している画像の次のページの画像を取得して、スクリーン１０１へ投影する。
【０１３０】
以上、本発明に依れば、複数のプロジェクタを用いて映像を映し出すにあたり、双方のプロジェクタで投影された映像に対するポインタの位置を取得し、他方のプロジェクトへ送信することで、他方のプロジェクタに於いて、映し出された映像に合わせて受信したポインタの位置に基づいて、当該ポインタを映し出すことによって、双方のコミュニケーションを円滑にすることが可能となる。
【０１３１】
以上、各実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１３２】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０１３３】
なお、本発明におけるプログラムは、各装置の処理方法ごとのプログラムであってもよい。
【０１３４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１３５】
この場合、記録媒体から読み出されたプログラム自体が本発明の新規な機能を実現することになり、そのプログラムを記憶した記録媒体は本発明を構成することになる。
【０１３６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１３７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１３８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１４０】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１４１】
１００    クライアント端末
１０１    スクリーン
１０２    レーザーポインタ
１０３    ネットワーク
１０５    プロジェクタ装置
２０１    ＣＰＵ
２０２    ＲＡＭ
２０３    ＲＯＭ
２０４    システムバス
２０５    入力コントローラ
２０６    ビデオコントローラ
２０７    メモリコントローラ
２０８    通信Ｉ／Ｆ（インターフェース）コントローラ
２０９    ＫＢ
２１０    ディスプレイ
２１１    外部メモリ
３０１    無線ＬＡＮインターフェイス（Ｉ／Ｆ）
３０２    画像生成部
３０３    液晶パネル
３０４    光源
３０５    投射レンズ
【図１】
2014119720.tif 000003
【図２】
2014119720.tif 000004
【図３】
2014119720.tif 000005
【図４】
2014119720.tif 000006
【図５】
2014119720.tif 000007
【図６】
2014119720.tif 000008
【図７】
2014119720.tif 000009
【図８】
2014119720.tif 000010
【図９】
2014119720.tif 000011
【図１０】
2014119720.tif 000012
【図１１】
2014119720.tif 000013
【図１２】
2014119720.tif 000014
【図１３】
2014119720.tif 000015
【図１４】
2014119720.tif 000016
【図１５】
2014119720.tif 000017
【図１６】
2014119720.tif 000018
【図１７】
2014119720.tif 000019
【図１８】
2014119720.tif 000020
【図１９】
2014119720.tif 000021